(57)【要約】【課題】  キャビネット本体の背板に設けた点検口カバーを、壁面方向へ移動させることにより、キャビネット内部の引き出しレールなどと干渉せずに開口させることを可能とする。  【解決手段】  本発明では、床に設置されたキャビネット本体と、前記キャビネット本体の背板に設けられた点検口と、前記点検口を覆う点検口カバーを備え、前記点検口カバーは前記点検口の前記キャビネット本体に係止されており、前記点検口カバーを取り外した後、前記点検口カバーを前記キャビネット本体から遠ざかる方向へ移動させることで、前記点検口を開口することを特徴とするキャビネットの点検口構造が提供される。【選択図】  図４
2011024666.tif 000002
【特許請求の範囲】
【請求項１】
床に設置されたキャビネット本体と、
前記キャビネット本体の背板に設けられた点検口と、
前記点検口を覆う点検口カバーを備え、
前記点検口カバーは前記点検口の前記キャビネット本体に係止されており、
前記点検口カバーを取り外した後、前記点検口カバーを前記キャビネット本体から遠ざかる方向へ移動させることで、前記点検口を開口することを特徴とするキャビネットの点検口構造。
【請求項２】
前記点検口が、前記キャビネット本体の前記背板部分全体であり、
前記点検口カバーが前記背板として機能することを特徴とする請求項１に記載のキャビネットの点検口構造
【請求項３】
前記点検口カバーに把手を設けたことを特徴とする請求項１に記載のキャビネットの点検口構造
【請求項４】
前記把手は、前記点検口カバーの一部を切り欠いた形状であることを特徴とする請求項３に記載のキャビネットの点検口構造
【発明の詳細な説明】
【技術分野】
【０００１】
本発明は、キャビネットの点検口に係り、特に床に対して固定され、移動が困難なキャビネットに好適なキャビネットの点検口に関する発明である。 
【背景技術】
【０００２】
従来、キッチンや洗面化粧台などのキャビネットにおいて、配管などを点検するために内部背面に点検口を設けることが知られている。そして、このような点検口を塞ぐための点検口カバーは内側から施蓋してなる構成を有する。（例えば、特許文献１参照）
このような場合、点検口カバーは取り出しやすいように引き出しレールなどをよけるため、キャビネット内寸より小さくなっており、点検口が小さいと作業性が悪くなるといった課題が存在した。
【先行技術文献】
【特許文献】
【０００３】
【特許文献１】特開平８−２５６８４９号公報
【特許文献２】特開２００９−７２３５４号公報
【発明の概要】
【発明が解決しようとする課題】
【０００４】
本発明は、上記問題を解決するためになされたもので、本発明の課題は、レール等があっても点検口を広くすることで作業性を向上させることである。
【課題を解決するための手段】
【０００５】
上記目的を達成するために請求項１記載の発明によれば、床に設置されたキャビネット本体と、前記キャビネット本体の背板に設けられた点検口と、前記点検口を覆う点検口カバーを備え、前記点検口カバーは前記点検口の前記キャビネット本体に係止されており、前記点検口カバーを取り外した後、前記点検口カバーを前記キャビネット本体から遠ざかる方向へ移動させることで、前記点検口を開口することを特徴とするキャビネットの点検口構造が提供される。
これにより点検口カバーをキャビネットの奥に移動させることでキャビネット内部に存在するレールや扉の蝶番などと点検口カバーが干渉せずに点検口を開口させることを可能となる。
【０００６】
また、請求項２記載の発明によれば、前記点検口が、前記キャビネット本体の前記背板部分全体であり、前記点検口カバーが前記背板として機能することを特徴とする請求項１に記載のキャビネットの点検口構造が提供される。
これにより、キャビネットの背板全体を点検口カバーとすることによって、点検口を最大限に開口させることが可能となり、作業者作業性が向上するという効果が得られる。
【０００７】
また、請求項３記載の発明によれば前記点検口カバーに把手を設けたことを特徴とする請求項１に記載のキャビネットの点検口構造が提供される。
これにより、点検口カバーを着脱する際に、把手を使用することが可能となり、作業者の作業性が向上するという効果が得られる。
【０００８】
また、請求項４記載の発明によれば前記把手は、前記点検口カバーの一部を切り欠いた形状であることを特徴とする請求項３に記載のキャビネットの点検口構造が提供される。
これにより、取っ手が点検口カバーより突出することがなく、キャビネット内部のスペースを有効利用することが可能となるという効果が得られる。
【発明の効果】
【０００９】
本発明によれば、点検口カバーをキャビネットの奥方向に移動させることでレール等と点検口カバーが干渉せず、作業性が向上するという効果がある。
【図面の簡単な説明】
【００１０】
【図１】本発明の実施例におけるキャビネット１の上面図である。
【図２】本発明の実施例におけるキャビネット１の斜視図である。
【図３】本発明の実施例における中間キャビネット１１の正面図である。
【図４】本発明の実施例における点検口カバー３を取り外す様子を示した模式図である。
【図５】本発明の別の実施例におけるキャビネット１の斜視図である。
【図６】本発明の別の実施例におけるキャビネット１のＡ−Ａ断面図である。
【図７】本発明の別の実施例における点検口カバー３を取り外す様子を示した模式図である。
【発明を実施するための形態】
【実施例】
【００１１】
以下に、図を用いて本発明の実施の形態について説明する。
図１に本発明の実施例におけるキャビネット１の上面図を示す。なお、説明のためにキャビネット１の天板を図示していない。
キャビネット１は略Ｌ字型形状を為しており、それぞれ略直行する方向に延在した隣接キャビネット１２ａ、１２ｂを有し、両者の中間位置に、中間キャビネット１１を有する構成となっている。
【００１２】
隣接キャビネット１２ａ、１２ｂと、中間キャビネット１１はそれぞれ角度補正部材１３ａ、１３ｂによって接続されており、各キャビネットの位置関係が大きくずれることを防止している。また、中間キャビネット１１と建物の壁面２の間にはスペース２１が存在している。
中間キャビネット１１は、その背面に点検口カバー３を有している。
【００１３】
図２は本発明の実施例におけるキャビネット１の斜視図を示す。
キャビネット１の上部には、中間キャビネット１１、隣接キャビネット１２ａ、１２ｂや角度補正部材１３ａ、１３ｂ、スペース２を覆うようにして天板４が設けられている。
天板４のうち、隣接キャビネット１２ａの上部にはシンク４１が、隣接キャビネット１２ｂの上部にはコンロ４２が設置されている。
【００１４】
図３に本発明の実施例における中間キャビネット１１の正面図を示す。先述のように、背板前面が点検口カバー３となっており、連結具３１にて中間キャビネット１１に支持取付されている。
連結具３１はキャビネット側板に取り付けたピン形状のものに、ドライバーで回転させるとツメがかかり、固定される。この連結具３１の動作は一例であり、連結具３１は点検口カバー３を中間キャビネット１１に支持取付できる構造であれば、どのような機構のものであってもよい。
【００１５】
また、点検口カバー３はその中央付近に穴が形成されており、穴の前面に塞板３２が取り付けられている。この塞板３２はその中央部分がくりぬかれた構造となっており、くりぬき取っ手３３として機能するように構成されている。
【００１６】
図４に点検口カバー３を取り外す様子を模式的に示す。
図４（ａ）に示すように、通常時、点検口カバー３は連結具３１によって中間キャビネット１１の内側方向に固定されており、背板として機能している。
図４（ｂ）に示すように、この連結具３１のロックを解除し、奥方向へ押し込むことによって、点検口カバー３は中間キャビネット１１から離れて、スペース２１内へ移動することになる。
これによって、中間キャビネット１１内部に引き出しレールなどの突起が存在していても、点検口カバー３はそれらと干渉することなく、点検口を開放することが出来る。さらに、手前側へ移動させる場合と比較して、作業者の体と点検口カバー３が干渉することがなく、作業者は体をねじって点検口カバー３をよけるなどの必要がなくなる。
【００１７】
そのまま、スペース２１内を移動し、図４（ｃ）に示すように壁面２に点検口カバー３を立てかけることによって、両手を点検口カバー３から開放することが出来る。これによって、作業者は両手をつかってメンテナンス作業を行うことができるようになり、作業性は向上する。
作業終了後は、逆の手順で点検口カバー３と中間キャビネット１１を連結具３１によって連結固定することによって、点検口を塞ぐことが可能となる。
【００１８】
以下に本発明の別の実施例を示す。
図５は別の実施例におけるキャビネット１の斜視図である。キャビネット１の上部には洗面ボウル５が載置されている。
【００１９】
図６に別の実施例における通常時のキャビネット１のＡ−Ａ断面図を示す。なお、説明のため、上部に載置される洗面ボウル５や、接続される配管類などは省略している。
キャビネット１はその背面下半分に背板３４を有しており、上半分が点検口カバー３によって覆われている。このとき、点検口カバー３は背板３４に設けられた固定具３５ａによってその下部を支持・固定され、固定具３５ｂと横桟１４によってその上部を保持されている。
【００２０】
図７は別の実施例における点検口を開口する様子を示した模式図である。
図７（ａ）に示したように、点検口カバー３は一旦、上に引き上げることで固定具３５ａと離間する。
次に、図７（ｂ）に示したように、この点検口カバー３の下部を奥に押し込むことで、点検口カバー３の下端が、固定具３５ａを超えてスペース２１内へ移動する。
図７（ｄ）に示すように、その状態で点検口カバー３を下に引き抜くことで、点検口カバー３の上端は横桟１４と固定具３５ｂの間から抜けて、点検口カバー３全体をスペース２１内へ移動させることが出来る。
図７（ｄ）に示すように点検口カバー３を壁面２に立てかけることで、作業者は両手でメンテナンス作業を行える。
作業終了後は、取り外す場合と逆の動作を行うことで、点検口カバー３を取り付けることが可能である。
【００２１】
なお、本発明は上記の実施例に限られるものではなく、本発明を逸脱しない範囲において設計変更することが可能である。
例えば、点検口カバー３を固定する方法は、連結具３１や固定具３５による方法に限られず、ねじを用いた固定や、磁力による固定など様々な方法が考えられる。
【符号の説明】
【００２２】
１…キャビネット
１１…中間キャビネット
１２ａ、１２ｂ…隣接キャビネット
１３…角度補正部材
１４…横桟
２…壁面
２１…スペース
３…点検口カバー
３１…連結具
３２…塞板
３３…くりぬき取っ手
３４…背板
３５ａ、３５ｂ…固定具
４…天板
【図１】
2011024666.tif 000003
【図２】
2011024666.tif 000004
【図３】
2011024666.tif 000005
【図４】
2011024666.tif 000006
【図５】
2011024666.tif 000007
【図６】
2011024666.tif 000008
【図７】
2011024666.tif 000009